(57)【要約】【課題】ワイヤを走行させてワークを切断するマルチソーマシンにおいて、ワイヤ周方向の摩耗を均等にすることを目的とし、簡易な装置によってワイヤを周方向に回転させる手段を提供する。【解決手段】ワイヤとワークとが接触するスライス部よりワイヤ走行方向上流側に、該ワイヤの走行方向と交差しつつ、且つ直交しない少なくとも１本のローラが、前記ワイヤと接触する位置に設ける。あるいは前記のローラがワイヤに対して互いに対向する位置に設けられて、且つワイヤの走行方向とローラの軸とがなす角度が共に同じで、且つ互いに異なる向きに設けることでワイヤに回転を付与する。【選択図】図３
2011098423.tif 000002
【特許請求の範囲】
【請求項１】
複数の溝ローラの外周に所定ピッチで捲回されたワイヤを、スラリを供給しながら走行させるとともに、ワークを前記ワイヤに押し付けて該ワークをスライス加工するマルチソーマシンにおいて、
前記ワイヤと前記ワークとが接触するスライス部よりワイヤ走行方向上流側に、該ワイヤ走行方向と交差しつつ、且つ直交しない少なくとも１本のローラが、前記ワイヤと接触する位置に設けられたマルチソーマシン。
【請求項２】
ワイヤ走行方向と交差しつつ、且つ直交しない少なくとも２本のローラが、ワイヤに対して互いに対向する位置に設けられて、且つ前記ワイヤの走行方向と前記ローラの軸とがなす角度が共に同じで、且つ互いに異なる向きに設けられた請求項１に記載のマルチソーマシン。
【請求項３】
ワイヤの走行方向と交差しつつ、且つ直交しない少なくとも１本の前記ローラが、複数の前記溝ローラに捲回されてなるワイヤの周の外側に設置され、且つ前記ローラによりワイヤが前記周の内側に向かって押し込まれる位置に設置された請求項１または２に記載のマルチソーマシン。
【発明の詳細な説明】
【技術分野】
【０００１】
本発明は、半導体材料、セラミックス等の高硬脆性材料（以下ワークという）を多数のウエハに切断する遊離砥粒式切断装置（以下マルチソーマシンという）に関する。
【背景技術】
【０００２】
従来技術における遊離砥粒式ソーワイヤ（以下「ワイヤ」という）Ｗは、ピアノ線などの硬鋼線にブラスメッキを施したものが一般的である。例えばピアノ線などのスチール線にブラスメッキしたものを伸線加工して、これを０．１〜０．３ｍｍの細線にしたものがある。このワイヤＷを図６のように、２〜４本からなる溝ローラ２間に多重に巻き掛ける。この状態で当該ローラを回転させると、前記ワイヤＷが所定の速度で走行する。この状態でワイヤにワークＰを押し付けて切断する。ワークＰを押し付けたとき、ワイヤＷの溝ローラ間における撓みをできるだけ少なくするために、ワイヤＷには強い張力が加えられる。
【０００３】
ワークＰはワイヤＷと前記ワークの切断面との間に介在したスラリ中の砥粒によって切断される（図７（ａ）参照）。その切断面ｆは巨視的には比較的平滑であるが、微視的には図８に示すような大きなうねりＮと微小波形ｎとが重なったような表面形状をしており、その加工面の平面精度は高くない。その現象や理由の詳細は特許文献１に記載されている。概略的にいえば、切断作業中に溝ローラの表面樹脂の温度が高温になり、そのワイヤガイド溝の位置が徐々に変化することが主な原因と考えられる。
【０００４】
また、微小波形ｎはワイヤ表面の摩耗進行に伴ってワイヤの断面形状が楕円に変化する（図７（ｂ）参照）。したがって図７（ｂ）に示すように、ワイヤによる被切削面の向きが徐々に変化することが原因であると考えられている。すなわち、ワイヤＷの全周の１／２が切削面となって、この切削面が偏摩耗し、ワイヤが繰り返し使用されるにつれて、その真円断面の形状が崩れ、略楕円形状に変形するものと考えられている。
【０００５】
前記の現象を回避するためには、ワイヤの硬度を高めて耐摩耗性を高くすればよい。しかし、そうすると極めて細いワイヤは靭性が低下して破断に対する耐久性が著しく損なわれる。つまり適度な靭性を有しつつ、ワイヤ自体の硬度を高くすることは極めて困難である。
【０００６】
そこで、前記現象を回避する別の手段としては、ワイヤを周方向に回転させる手段がある。ワイヤを回転させる装置は、例えば特許文献１に開示されている。
【０００７】
特許文献１に開示されたワイヤを回転させる装置は、図９に示す構造で、溝ローラ２ａと溝ローラ２ｂとの中間位置に配設されたワイヤＷと直交する方向に軸心を配置してなる第１のローラ１０１とワイヤＷを挟んでこの第１のローラ１０１に対設した第２のローラ１０２とで、ワイヤを挟み、図示しない駆動モータによって、前記第１のローラ１０１、第２のローラ１０２を矢印１０３あるいは矢印１０４に示すように軸心に沿い、しかも相反する方向に移動させることによってワイヤＷの軸心を中心に正転あるいは逆転させる（回転させる）というものである。
【先行技術文献】
【特許文献】
【０００８】
【特許文献１】特開平９−７０７４７号公報
【発明の概要】
【発明が解決しようとする課題】
【０００９】
しかし、引用文献１に開示されたワイヤの回転装置は、駆動モータを必要とするもので、第１のローラ１０１と第２のローラ１０２を相反する方向に移動させる等、装置が非常に複雑になる。
【００１０】
また、第１のローラ１０１と第２のローラ１０２をワイヤの走行方向と直交する方向に移動させると、ローラとの摩擦によりワイヤの走行位置が移動させられる。すると、溝ローラにおいて、ワイヤが隣の溝に移ったり、互いに走行するワイヤ同士が接触したりすることで、最悪には断線を引き起こしてしまう。
【００１１】
さらには、第１のローラ１０１と第２のローラ１０２の平行移動が反転するとき、つまりワイヤが正転から逆転に切り替わるとき、ワイヤＷを回転させることができない領域が生じる。第１及び第２のローラが十分に大きければ、その頻度を少なくすることができるが、設備として過大になる上に、回転させることができない領域は根本的に解消することはできず、結果としてワイヤの切断品質としては不均一にならざるを得ない。
【００１２】
そこで、本発明は、ワイヤ周方向の摩耗を均等にすることを目的とし、簡易な装置によってワイヤを周方向に回転させる手段を提供することを目的とする。
【課題を解決するための手段】
【００１３】
本発明は、複数の溝ローラの外周に所定ピッチで捲回されたワイヤを、スラリを供給しながら走行させるとともに、ワークを前記ワイヤに押し付けて該ワークをスライス加工するマルチソーマシンにおいて、前記ワイヤと前記ワークとが接触するスライス部よりワイヤ走行方向上流側に、該ワイヤ走行方向と交差しつつ、且つ直交しない少なくとも１本のローラが、前記ワイヤと接触する位置に設けられた、
ことを特徴とする。
【００１４】
さらには、ワイヤ走行方向と交差しつつ、且つ直交しない少なくとも２本のローラが、ワイヤに対して互いに対向する位置に設けられて、且つ前記ワイヤの走行方向と前記ローラのなす角度が共に同じで、且つ互いに異なる向きに設けることで、より効率よくワイヤを周方向に回転させることができる。
【００１５】
本発明をより効率よく発揮するポイントとしては、
ワイヤの走行方向と交差しつつ、且つ直交しない少なくとも１本の前記ローラが、複数の前記溝ローラに捲回されてなるワイヤの周の外側に設置され、ワイヤを前記ワイヤの周の内側に向かって押し込んで設置されていることが望ましい。
【発明の効果】
【００１６】
本発明によれば、ワイヤとワークが接触するスライス部より上流側で前記ワイヤと接触する位置に設けた、ワイヤ走行方向と直交しない少なくとも１本のローラとワイヤが接触することで、ワイヤに軸芯を中心とする方向への回転が生じ、捻れを有したままワークに到達し、捻り戻りつつ、ワークを切断するため、ワイヤの偏磨耗が防止できる。つまり、より平滑な切断面を得ることができる。
【００１７】
また、従来のようにワイヤへ回転を付与するための機構としてローラを平行移動させるような駆動装置を必要とせず、簡素な方法で行うことができる。さらにワイヤの走行位置を変移させることなく、回転を確実に付与することができる。
【００１８】
さらに前記ローラの設置位置が複数の溝ローラに捲回されてなるワイヤの周の外側から内に向かって押し付けられるように設置されていることで、ワイヤが溝ローラで溝から外れることを防止することができる。
【図面の簡単な説明】
【００１９】
【図１】本発明の要部における代表的な実施例の斜視図
【図２】本発明の要部における代表的な実施例の正面図
【図３】本発明の要部における代表的な実施例の右側面図
【図４】本発明の他の例の右側面図
【図５】本発明の他の例の右側面図
【図６】マルチソーマシンによる切断の概略図
【図７】切断中のワイヤとワークの断面図
【図８】切断加工面の微視的拡大図
【図９】ワイヤを回転させる機能を持つマルチソーマシンの従来例
【発明を実施するための形態】
【００２０】
本発明の代表的な例を図１〜３を用いて説明する。図１は本発明の要部の斜視図、図２は正面図、図３は右側面図を示す。尚、以下の実施の形態においては全て溝ローラの本数としては３本を例に記載しているが、本発明の実施においては特に限定されるものではない。
【００２１】
本発明の最大の特徴は、ワイヤＷの走行方向と直交しない回転軸を有しつつ、溝ローラ２ａと溝ローラ２ｂとの間に張設されたワイヤＷの全てに接触しながら回転をするようなローラ（以下、傾斜ローラと称す）が設置されていることである。この傾斜ローラ１の回転によりワイヤに実質的な回転を加えている。
【００２２】
傾斜ローラ１の回転軸はワイヤＷの走行方向と直交しないため、ワイヤは走行しつつも傾斜ローラとの接触時の摩擦により、傾斜ローラの回転方向への力を受ける。こうしてワイヤの中心を軸とした回転が生まれる。
【００２３】
ここでワイヤが「回転」するとは、ワイヤの中心軸に対して捩れる、あるいは捩れ戻ることを意味する。つまり前記傾斜ローラ１により回転を付与された（つまり捻られた）ワイヤＷは溝ローラ２ｂに接触する。この時、一時的に付与されたに過ぎない「回転」は溝ローラ２ｂとの接触により固定され、捩り戻らなくなる。その後、溝ローラ２ｂを通過し溝ローラ２ｃに向かうまでの間で徐々に捩り戻される。この間に切断を行うことで、ワークＰとワイヤ周面とがより広域で、より好ましくは全周で接触し、均一な磨耗が生じると共に、平滑な切断面が得られる加工を行うことができる。
【００２４】
傾斜ローラを傾斜させる角度としては、傾斜ローラ軸と、ワイヤ走行方向に対して垂直な直線とが成す角度θが４０°±１０程度が好ましい。これ以下の角度の場合、ワイヤを回転させるだけの十分な効果が得難くなり、また角度が前記範囲以上となると、効果的な回転が付与し難くなる他、ワイヤの走行に対する摩擦が大きくなり、ワイヤはスムーズな走行が行えなくなる。
【００２５】
傾斜ローラとしては回転自在に保持されたのみの傾斜ローラであっても良いし、外付け、あるいは内蔵する駆動モータにより自転する傾斜ローラであっても良い。前者の傾斜ローラを設置した場合は、傾斜する角度を高めつつ、ワイヤと傾斜ローラとの接触力を高めた方が望ましい。そうすることでより互いの摩擦力を高めワイヤに回転を付与し易くなる。また後者の傾斜ローラを使用する場合は傾斜ローラを設置する角度は小さくても良く、自転の速度により適切な回転を付与するようにコントロールすることができる。
【００２６】
また傾斜ローラ１の設置位置としては溝ローラ２ｂに近い方が良い。そうすることで傾斜ローラにより回転を付与されたワイヤが捩り戻るのを防ぐことができる。
【００２７】
尚、図４のように、傾斜ローラは複数本設置しても良い。その場合、より大きな回転を付与することができる。さらに図５のようにワイヤに対して互いに対向する位置に設置し、且つワイヤの走行方向と傾斜ローラのなす角度が共に同じで、且つ互いに異なる向きに設けるようにすることで、ワイヤを把持しつつ効率よく確実に回転を付与することができる。
【００２８】
さらに傾斜ローラ１の設置位置としては、図２のように捲回されてなるワイヤの周の外側に設置されるのが良い。且つ溝ローラ２ａと溝ローラ２ｂとで張設されたワイヤを前記ワイヤの周の内側に押し込むように設置されるのがより好ましい。そうすることで溝ローラ２ａと傾斜ローラ１と溝ローラ２ｂとを走行するワイヤは蛇行するようになり、ワイヤに回転を付加するときに溝ローラ２ａ、あるいは溝ローラ２ｂでワイヤが溝から外れるといった現象を防止することができる。
【実施例１】
【００２９】
従来のマルチソーマシンに、ワイヤ走行方向と直交する直線と成す角度が３５°となるように傾斜ローラを設置した。傾斜ローラとしては駆動源を有しない回転自在なもので、材質がウレタン製、直径３０ｍｍのものを使用し、ワイヤを僅かに押し込む程度に接触させて設置した。この状態でワイヤを走らせ、砥粒を有するスラリを吹きかけつつ１００ｍｍ角柱状のガラス塊（ワーク）の切断を行った。切断後の、ワイヤの表面状態を確認するとワイヤ円周方向に対して約２６０°のワークとの接触跡が見られた。
【００３０】
その後、少しずつワイヤと傾斜ローラとの接触力を強めるように調整した跡に再度切断を行う、という操作を繰り返したところ、ワイヤ表面に見られるワークとの接触跡が円周方向に広がるとともに、加工面の粗さも良好になる（平滑になる）という相関性がみられた。
【符号の説明】
【００３１】
１・・・・・傾斜ローラ
２・・・・・溝ローラ
Ｗ・・・・・ワイヤ
Ｐ・・・・・ワーク
【図１】
2011098423.tif 000003
【図２】
2011098423.tif 000004
【図３】
2011098423.tif 000005
【図４】
2011098423.tif 000006
【図５】
2011098423.tif 000007
【図６】
2011098423.tif 000008
【図７】
2011098423.tif 000009
【図８】
2011098423.tif 000010
【図９】
2011098423.tif 000011